(57)【特許請求の範囲】
【請求項１】
雄端子と、少なくとも一組の弾性板部を備える雌端子とを備え、前記雄端子が前記雌端子の少なくとも一組の弾性板部間に一定方向から差し込まれて、前記雄端子の両側面が前記少なくとも一組の弾性板部の弾性力により幅方向両側から押圧されることで、前記雄端子と前記雌端子とが電気的に接続される構成の端子機構であって、
前記雄端子は、上部開放型のハウジング本体部の開口を塞ぐ蓋部に沿ってスライドすることで、前記スライド方向に延びるように形成された前記蓋部の案内スリットに挿入される構成であり、
前記雌端子は、前記蓋部の内側でその蓋部の案内スリットに対応する位置に設けられ、前記雄端子が前記少なくとも一組の弾性板部にスライド方向から差し込まれる構成であり、
前記雌端子には、前記少なくとも一組の弾性板部とは異なる方向に弾性変形が可能な別の弾性板部が設けられており、前記別の弾性板部は、前記案内スリットから前記蓋部の内側に挿入された前記雄端子の両側面以外の面を押圧できるように構成されていることを特徴とする端子機構。
【請求項２】
請求項１に記載された端子機構であって、
前記別の弾性板部は、前記雄端子の下面を下方から押圧できるように構成されていることを特徴とする端子機構。
【請求項３】
請求項１又は請求項２のいずれかに記載された端子機構であって、
前記別の弾性板部は複数設けられていることを特徴とする端子機構。
【請求項４】
請求項１に記載された端子機構であって、
前記別の弾性板部は、前記雄端子のスライド方向における先端面をスライド方向と逆方向から押圧できるように構成されていることを特徴とする端子機構。
【請求項５】
請求項１から請求項４のいずれかに記載された端子機構であって、
前記雄端子と前記雌端子とは、電力用端子、あるいは信号用端子であることを特徴とする端子機構。
【請求項６】
請求項１から請求項５のいずれかに記載された端子機構であって、
前記雄端子は電動工具に設けられており、前記雌端子はバッテリパックに設けられていることを特徴とする端子機構。
【請求項７】
請求項１から請求項５のいずれかに記載された端子機構であって、
前記雄端子は充電器に設けられており、前記雌端子はバッテリパックに設けられていることを特徴とする端子機構。
【発明の詳細な説明】
【技術分野】
【０００１】
本発明は、雄端子と、少なくとも一組の弾性板部を備える雌端子とを備え、前記雄端子が前記雌端子の少なくとも一組の弾性板部間に一定方向から差し込まれて、前記雄端子の両側面がそれらの弾性板部の弾性力により幅方向両側から押圧されることで、前記雄端子と前記雌端子とが電気的に接続される構成の端子機構に関する。
【背景技術】
【０００２】
これに関連する従来の端子機構が特許文献１に記載されている。
特許文献１に記載された端子機構は、図１７に示すように、縦向き平板状の雄端子１０１と、その雄端子１０１が一定方向から差し込まれるように構成された複数組の弾性板部１０３，１０４を備える雌端子１０５（図１５、図１６参照）とを備えている。
雌端子１０５の弾性板部１０３，１０４は、図１６、図１７に示すように、雄端子１０１の差し込み中心位置ＣＬに対して左右対称に形成されて、その弾性板部１０３，１０４の先端位置（後端位置）に形成された接触部１０３ｃ，１０４ｃが雄端子１０１の両側面に接触するように構成されている。さらに、前記雌端子１０５が雄端子１０１の差し込み方向に二セット並んで設置されている。
このように、雌端子１０５が雄端子１０１の差し込み方向に二セット並べて設けられていることで、雄端子１０１と雌端子１０５との接触部分が増加して、一つの接触部分に流れる電流を減少させることができる。このため、端子の磨耗等を抑制でき、寿命延長を図ることができる。
【先行技術文献】
【特許文献】
【０００３】
【特許文献１】特開２００１−０５７２０４号公報
【発明の概要】
【発明が解決しようとする課題】
【０００４】
しかし、雌端子１０５を雄端子１０１の差し込み方向に二セット並べて設ける構成では、雄端子１０１を差し込み方向に長く形成する必要がある。このため、雄端子１０１が大型化する。また、二セットの雌端子１０５を雄端子１０１の差し込み方向に並べて設置するため、その雌端子１０５の設置スペースも広く必要になる。
【０００５】
本発明は、上記問題点を解決するためになされたものであり、本発明が解決しようとする課題は、雄端子と雌端子との接触部分を増加させて前記接触部分を流れる電流を減少させるともに、雄端子の大型化、及び雌端子の設置スペースの増加を抑制することである。
【課題を解決するための手段】
【０００６】
上記した課題は、各請求項の発明によって解決される。
請求項１の発明は、雄端子と、少なくとも一組の弾性板部を備える雌端子とを備え、前記雄端子が前記雌端子の少なくとも一組の弾性板部間に一定方向から差し込まれて、前記雄端子の両側面が前記少なくとも一組の弾性板部の弾性力により幅方向両側から押圧されることで、前記雄端子と前記雌端子とが電気的に接続される構成の端子機構であって、前記雄端子は、上部開放型のハウジング本体部の開口を塞ぐ蓋部に沿ってスライドすることで、前記スライド方向に延びるように形成された前記蓋部の案内スリットに挿入される構成であり、前記雌端子は、前記蓋部の内側でその蓋部の案内スリットに対応する位置に設けられ、前記雄端子が前記少なくとも一組の弾性板部にスライド方向から差し込まれる構成であり、前記雌端子には、前記少なくとも一組の弾性板部とは異なる方向に弾性変形が可能な別の弾性板部が設けられており、前記別の弾性板部は、前記案内スリットから前記蓋部の内側に挿入された前記雄端子の両側面以外の面を押圧できるように構成されていることを特徴とする。
【０００７】
本発明によると、雄端子が雌端子の少なくとも一組の弾性板部（以下、組用の弾性板部という）間に一定方向から差し込まれる際、即ち、雄端子が組用の弾性板部によって両側面を押圧される際に、両側面以外の面が別の弾性板部によって押圧されるようになる。このように、別の弾性板部によって雄端子と雌端子との接触部分を増やすことができるため、一つの接触部分に流れる電流を減少させることができ、端子の寿命延長を図ることができる。
また、雄端子の両側面を雌端子の組用の弾性板部によって押圧し、雄端子の両側面以外の面を別の弾性板部によって押圧する構成のため、組用の弾性板部と別の弾性板部とを雄端子の差し込み方向においてほぼ同位置に配置することができる。即ち、雌端子の組用の弾性板部と別の弾性板部とを雄端子の差し込み方向に並べて設ける必要がなくなる。このため、雌端子が雄端子の差し込み方向に長くならず、雌端子の設置スペースの増加を抑制できる。また、雌端子が雄端子の差し込み方向に長くならないため、雄端子も差し込み方向に長く製作する必要がなくなる。
【０００８】
請求項２の発明によると、別の弾性板部は、雄端子の下面を下方から押圧できるように構成されている。
このため、別の弾性板部が雄端子の差し込みを妨げることがない。これにより、別の弾性板部を雄端子の差し込み方向に複数設けることが可能になる。
請求項３の発明によると、別の弾性板部は複数設けられていることを特徴とする。
【０００９】
請求項４の発明によると、別の弾性板部は、雄端子のスライド方向における先端面をスライド方向と逆方向から押圧できるように構成されていることを特徴とする。
請求項５の発明によると、雄端子と雌端子とは、電力用端子、あるいは信号用端子であることを特徴とする。
【００１０】
請求項６の発明によると、雄端子は電動工具に設けられており、雌端子はバッテリパックに設けられていることを特徴とする。
請求項７の発明によると、雄端子は充電器に設けられており、雌端子はバッテリパックに設けられていることを特徴とする。
【発明の効果】
【００１１】
本発明によると、雄端子と雌端子との接触部分を増加させることができるため、一つの接触部分に流れる電流が減少し、端子の寿命延長が図れる。また、雄端子と雌端子との接触部分が増加しても、雄端子の大型化、及び雌端子の設置スペースの増加を抑制できる。
【図面の簡単な説明】
【００１２】
【図１】本発明の実施形態１に係る端子機構の雌端子を備えるバッテリパックの蓋部を取外した状態を表す全体斜視図である。
【図２】前記バッテリパックの全体斜視図である。
【図３】本発明の実施形態１に係る端子機構を表す斜視図である。
【図４】前記端子機構の接続状態を表す平面図である。
【図５】図４のV-V矢視断面図である。
【図６】前記端子機構の電源用雌端子を表す斜視図である。
【図７】前記端子機構の電源用雌端子を表す平面図である。
【図８】前記端子機構の電源用雌端子を表す側面図である。
【図９】本発明の実施形態１の変更例１に係る電源用雌端子を表す側面図である。
【図１０】本発明の実施形態１の変更例２に係る電源用雌端子を表す斜視図である。
【図１１】前記変更例２に係る電源用雌端子の側面図である。
【図１２】本発明の実施形態２に係る端子機構の電源用雌端子を表す斜視図である。
【図１３】前記端子機構の電源用雌端子を表す平面図である。
【図１４】前記端子機構の電源用雌端子を表す側面図である。
【図１５】従来の端子機構の雌端子を表す斜視図である。
【図１６】従来の端子機構の雌端子を表す平面図である。
【図１７】従来の端子機構の接続状態を表す平面図である。
【発明を実施するための形態】
【００１３】
［実施形態１］
以下、図１から図１１に基づいて本発明の実施形態１に係る端子機構について説明する。
本実施形態に係る端子機構５０は、図３に示すように、電動工具（図示省略）に設けられた一対の電源用雄端子５５、信号用雄端子５７と、バッテリパック１０に設けられた一対の電源用雌端子６２、信号用雌端子６８とから構成されている。
なお、図中に記載された前後左右及び上下は、バッテリパック１０の前後左右及び上下に対応している。
【００１４】
＜バッテリパック１０の概要について＞
先ず、端子機構５０について説明する前に、図１、図２に基づいて、バッテリパック１０の概要について説明する。
バッテリパック１０は、複数本のセル（図示省略）を収納する上部開放型のハウジング本体部１２と、そのハウジング本体部１２の上部開口１２ｈを塞ぐ蓋部１４（図２参照）とを備えている。
ハウジング本体部１２には、図１に示すように、前記複数本のセルがセルホルダ１３に拘束された状態で収納されている。そして、前記セルホルダ１３の上に絶縁板部（図示省略）を介してバッテリパック１０の電気回路の基板２０が載せられている。基板２０の上面には、電気回路を構成する種々の電子部品（図示省略）、コネクタ４５、及び端子機構５０の雌端子６０（電源用雌端子６２、信号用雌端子６８）等が設けられている。
【００１５】
ハウジング本体部１２の上部開口１２ｈを塞ぐ蓋部１４には、図２に示すように、その左右両側位置に電動工具（図示省略）との連結に使用されるスライドレール１５が前後方向に延びるように形成されている。さらに、蓋部１４の上面中央部には、左右のスライドレール１５の間に、電動工具の電源用雄端子５５（図３参照）がそれぞれ前方から挿入可能に構成された左右一対の電源用案内スリット１６ｐと、右側の電源用案内スリット１６ｐの左隣に信号用案内スリット１６ｃが同じく前後方向に延びるように形成されている。そして、蓋部１４の内側で左右の電源用案内スリット１６ｐに対応する位置に、図１に示すように、電動工具の電源用雄端子５５が挿入接続される電源用雌端子６２が配置されている。また、蓋部１４の内側で信号用案内スリット１６ｃに対応する位置に電動工具の信号用雄端子５７が接続される信号用雌端子６８が配置されている。
さらに、蓋部１４の左右の電源用案内スリット１６ｐ間には、図２に示すように、コネクタ用開口１７が形成されており、そのコネクタ用開口１７からコネクタ４５が前方を指向した状態で突出している。
また、蓋部１４の上面後部には、左右の電源用案内スリット１６ｐの後方に電動工具のスライドをロックするフック４７（図１参照）が突出する開口１８が形成されている。
【００１６】
＜端子機構５０の概要について＞
次に、本実施形態に係る端子機構５０について説明する。
端子機構５０は、図３に示すように、電動工具（図示省略）に設けられた一対の電源用雄端子５５と、信号用雄端子５７と、バッテリパック１０に設けられた一対の電源用雌端子６２と、信号用雌端子６８とから構成されている。
【００１７】
＜電源用雄端子５５、信号用雄端子５７について＞
一対の電源用雄端子５５は、前記電動工具の電気回路を構成するプラス側の電源線（図示省略）とマイナス側の電源線（図示省略）とにそれぞれ接続される端子であり、図３に示すように、端子本体部５５ｍと、曲がり部５５ｋと、ケーブル接続部５５ｃとから構成されている。電源用雄端子５５の端子本体部５５ｍは、バッテリパック１０の電源用雌端子６２と電気的に接続される部分であり、前後に長い縦向き帯板状に形成されている。そして、端子本体部５５ｍの先端部分が断面略楔形となるように、先端側で肉厚寸法が小さくなるように形成されている。
また、電源用雄端子５５の曲がり部５５ｋとケーブル接続部５５ｃの下側とは、電動工具のハウジングを構成する樹脂に埋め込まれる部分であり、そのハウジングに固定されるようになっている。
以下、電源用雄端子５５の端子本体部５５ｍを電源用雄端子５５と呼ぶことにする。
信号用雄端子５７は、前記電動工具の電気回路を構成する信号線（図示省略）が接続される端子であり、端子本体部５７ｍと、曲がり部５７ｋと、ケーブル接続部５７ｃとから構成されている。信号用雄端子５７の端子本体部５７ｍは、バッテリパック１０の信号用雌端子６８と電気的に接続される部分であり、側面Ｌ字形に形成された平板から構成されている。そして、端子本体部５７ｍの先端部分が断面略楔形となるように先端側で肉厚寸法が小さくなるように設定されている。また、信号用雄端子５７の曲がり部５７ｋとケーブル接続部５７ｃの下側とは、電源用雄端子５５の場合と同様に、前記ハウジングを構成する樹脂に埋め込まれてそのハウジングに固定される。
以下、信号用雄端子５７の端子本体部５７ｍを信号用雄端子５７と呼ぶことにする。
【００１８】
＜電源用雌端子６２、信号用雌端子６８について＞
一対の電源用雌端子６２は、図３に示すように、基板２０の上面に取付けられて、その基板２０の電気回路の電源用導体部（図示省略）に電気的に接続される。また、信号用雌端子６８は、右側の電源用雌端子６２の左隣で同じく基板２０の上面に取付けられて、その基板２０の電気回路の信号用導体部（図示省略）に電気的に接続される。
一対の電源用雌端子６２は、図６〜図８に示すように、基板２０の上面に固定される前後に長い平面帯状のベース部６２ｂと、そのベース部６２ｂの幅方向両側（左右両端側）で縦方向に直角に折り曲げられた左右の支持板部６３と、左右の支持板部６３にそれぞれ二枚づつ設けられた二組の弾性板部６５とを備えている。
【００１９】
左右の支持板部６３は、上方に延びる角形平板であり、図６等に示すように、左右の支持板部６３が等しい高さとなるように形成されている。そして、左右の支持板部６３が対向するように構成されている。
左右の支持板部６３に設けられた弾性板部６５は、左右等しい高さ位置で水平後方に張り出しており、左右の弾性板部６５が左右対称に形成されている。即ち、左側の弾性板部６５は左側の支持板部６３に対して水平右方向に折り曲げられており、右側の弾性板部６５は右側の支持板部６３に対して水平左方向に折り曲げられている。そして、左右の弾性板部６５は後方に行くにつれて左右の弾性板部６５が互いに接近するように構成されている。左右の弾性板部６５の先端部は平面略円弧形に成形されており、互いに対向する側が円弧凸面６５ｅとなるように構成されている。そして、左右の円弧凸面６５ｅ（接触部６５ｅ）が電源用雄端子５５の両側面に接触するようになる。
ここで、左右の弾性板部６５における接触部６５ｅ間の隙間寸法は、電源用雄端子５５の厚み寸法よりも十分小さな値に設定されている。即ち、二組の弾性板部６５は、電源用雄端子５５が差し込まれる際に水平方向に弾性変形するようになる。
【００２０】
電源用雌端子６２のベース部６２ｂには、図６に示すように、電源用雄端子５５の下面に対して下方から接触する下側弾性板部６７が設けられている。下側弾性板部６７は、ベース部６２ｂの底面をその下側弾性板部６７の形状に合わせて三方から切断し、切断されていない基端部を上方に折り曲げることで形成されている。即ち、下側弾性板部６７は、ベース部６２ｂに対して直角に折り曲げられた基端部６７ｗ（図６参照）と、その基端部６７ｗに対して斜めに折り曲げられた傾斜板部６７ｋと、図８等に示すように、その傾斜板部６７ｋの先端で上に凸となるように湾曲形成された円弧突部６７ｅとから構成されている。そして、下側弾性板部６７の円弧突部６７ｅの上面が、図５に示すように、電源用雄端子５５の下面に対してその下側弾性板部６７の弾性力で押し付けられるようになる。即ち、下側弾性板部６７は、電源用雄端子５５が差し込まれる際に下方向に弾性変形するようになる。
なお、電源用雌端子６２のベース部６２ｂの底面には、図６に示すように、下側弾性板部６７を切り起こすことにより、角形の開口６７ｃが形成されている。
また、信号用雌端子６８は、電源用雌端子６２とほぼ等しい構造で形成されている。
【００２１】
＜本実施形態に係る端子機構５０の動作について＞
次に、電動工具（図示省略）とバッテリパック１０との連結時における電源用雄端子５５、信号用雄端子５７と電源用雌端子６２、信号用雌端子６８との接続について説明する。
前記電動工具をバッテリパック１０に連結する場合には、電動工具の連結部をバッテリパック１０の左右のスライドレール１５（図２参照）に嵌合させ、前記電動工具をそれらのスライドレール１５に沿って後方にスライドさせる。これにより、電動工具に設けられた電源用雄端子５５と信号用雄端子５７とがそれぞれバッテリパック１０の電源用案内スリット１６ｐ（図２参照）と信号用案内スリット１６ｃの挿入される。そして、電源用雄端子５５の先端がバッテリパック１０内の基板２０に取付けられた電源用雌端子６２の前部に挿入され、信号用雄端子５７の先端が同じく基板２０に取付けられた信号用雌端子６８の前部に挿入される。
【００２２】
この状態からさらに電動工具を後方にスライドさせると、電源用雄端子５５が差し込み中心位置ＣＬ（図４参照）に沿ってバッテリパック１０の電源用雌端子６２に差し込まれ、信号用雄端子５７が同じく信号用雌端子６８に差し込まれる。
電源用雄端子５５がバッテリパック１０の電源用雌端子６２に差し込まれる際には、先ず、電源用雄端子５５の先端下面が電源用雌端子６２における下側弾性板部６７の傾斜板部６７ｋに当接し、差し込み力で下側弾性板部６７の傾斜板部６７ｋを弾性力に抗して下方に押下げる。次に、電源用雄端子５５が左右二組の弾性板部６５を内側から弾性力に抗して押し広げることで、左右の弾性板部６５の接触部６５ｅがそれぞれ電源用雄端子５５の左右の側面に押し付けられる。さらに、電源用雄端子５５が電源用雌端子６２に差し込まれることで、下側弾性板部６７の接触部６７ｅが弾性力で電源用雄端子５５の下面に押し付けられる（図５参照）。
この状態で、図４、図５に示すように、電源用雄端子５５が所定位置まで電源用雌端子６２に差し込まれることで、電源用雄端子５５と電源用雌端子６２とが電気的に接続されるようになる。
また、信号用雄端子５７と信号用雌端子６８も電源用雄端子５５と電源用雌端子６２と同様に電気的に接続されるようになる。
このように、電源用雄端子５５、信号用雄端子５７が本発明の雄端子に相当し、電源用雌端子６２、信号用雌端子６８が本発明の雌端子に相当する。また、電源用雌端子６２の左右の弾性板部６５が本発明の少なくとも一組の弾性板部に相当し、下側弾性板部６７が本発明の別の弾性板部に相当する。
【００２３】
＜本実施形態に係る端子機構５０の長所について＞
本実施形態に係る端子機構５０によると、電源用雄端子５５が電源用雌端子６２の二組の弾性板部６５間に一定方向から差し込まれる際、即ち、電源用雄端子５５が二組の弾性板部６５によって両側面を押圧される際に、その電源用雄端子５５の下面が下側弾性板部６７によって押圧されるようになる。このように、下側弾性板部６７（別の弾性板部）によって電源用雄端子５５と電源用雌端子６２との接触部分を増やすことができるため、一つの接触部分に流れる電流を減少させることができ、端子機構５０の寿命延長を図ることができる。
また、電源用雄端子５５の両側面を電源用雌端子６２の二組の弾性板部６５によって押圧し、電源用雄端子５５の下面を下側弾性板部６７（別の弾性板部）によって押圧する構成のため、二組の弾性板部６５と下側弾性板部６７を電源用雄端子５５の差し込み方向においてほぼ同位置に配置することができる。即ち、電源用雌端子６２の二組の弾性板部６５と下側弾性板部６７とを電源用雄端子５５の差し込み方向に並べて設ける必要がなくなる。このため、電源用雌端子６２が電源用雄端子５５の差し込み方向に長くならず、電源用雌端子６２の設置スペースの増加を抑制できる。また、電源用雌端子６２が電源用雄端子５５の差し込み方向に長くならないため、電源用雄端子５５も差し込み方向に長く製作する必要がなくなる。
【００２４】
＜変更例＞
ここで、本発明は、本実施形態に限定されるものではなく、本発明の要旨を逸脱しない範囲における変更が可能である。例えば、本実施形態では、一つの電源用雄端子５５に対して電源用雌端子６２を一セット設ける例を示したが、図９に示すように、二セットの電源用雌端子６２を電源用雄端子５５の差し込み方向に並べて設けることも可能である。
また、本実施形態では、図６等に示すように、電源用雌端子６２のベース部６２ｂに一個の下側弾性板部６７を設ける例を示したが、図１０、図１１に示すように、下側弾性板部６７を電源用雄端子５５の差し込み方向に二個設けることも可能である。
このようにすることで、電源用雄端子５５と電源用雌端子６２との接触部位をさらに増やすことができ、端子機構５０の寿命延長、及び接続信頼性を向上させることができる。
【００２５】
［実施形態２］
以下、図１２から図１４に基づいて本発明の実施形態２に係る端子機構について説明する。
本実施形態に係る端子機構７０は、実施形態１に係る端子機構５０の電源用雌端子６２の構成を変更したものであり、その他の構成は実施形態１に係る端子機構５０と同様である。
本実施形態に係る端子機構７０の電源用雌端子７２は、図１２〜図１４に示すように、基板２０の上面に固定される前後に長い平面帯状のベース部７２ｂと、そのベース部７２ｂの幅方向両側（左右両端側）で縦方向に直角に折り曲げられた左側支持板部７３、右側支持板部７４と、左右の支持板部７３，７４にそれぞれ二枚づつ設けられた二組の弾性板部７５とを備えている。
左側支持板部７３は、図１２等に示すように、上方に延びる角形平板状に形成されている。右側支持板部７４は、左側支持板部７３に対向して等しい高さで形成された角形平板部７４ｘと、その角形平板部７４ｘの後端位置で折り返された半円壁部７４ｃとから構成されている。前記半円壁部７４ｃは、左側支持板部７３と右側支持板部７４の角形平板部７４ｘ間を後から塞ぐように配置されており、図１３に示すように、前方に凸となるように断面半円形に形成されている。そして、右側支持板部７４の半円壁部７４ｃに電源用雄端子５５の先端が当接可能なように構成されている。即ち、右側支持板部７４の半円壁部７４ｃの前方に凸となる円弧面が電源用雄端子５５との接触部７４ｅ（図１３参照）となる。
【００２６】
左右の支持板部７３，７４には、左右等しい高さ位置で前方に張り出すように弾性板部７５が設けられている。左右の弾性板部７５は左右対称に形成されており、左側の弾性板部７５が左側支持板部７３に対して水平右方向に折り曲げられている。また、右側の弾性板部７５が右側支持板部７４の角形平板部７４ｘに対して水平左方向に折り曲げられている。即ち、左右の弾性板部は前方に行くにつれて左右の弾性板部７５が接近するように構成されている。そして、左右の弾性板部７５の先端部が平面略円弧形に成形されて、互いに対向する側が円弧凸面７５ｅとなるように構成されている。
【００２７】
このため、電源用雄端子５５を電源用雌端子７２の左右の弾性板部７５間に差し込むことで、前記弾性板部７５の弾性力で左右の弾性板部７５の円弧凸面７５ｅが電源用雄端子５５の左右の側面に押し付けられるようになる。さらに、電源用雄端子５５が限界位置まで差し込まれることで、電源用雄端子５５の先端が右側支持板部７４の半円壁部７４ｃの接触部７４ｅに接触することで、電源用雄端子５５と電源用雌端子７２との接続が完了する。
このように、電源用雌端子７２の半円壁部７４ｃによって電源用雄端子５５と電源用雌端子７２との接触部分を増やすことができるため、一つの接触部分に流れる電流を減少させることができ、端子の寿命延長を図ることができる。
また、電源用雄端子５５の大型化を抑制できるとともに、電源用雌端子７２の設置スペースの増加も抑制できる。
即ち、右側支持板部７４の半円壁部７４ｃが本発明の別の弾性板部に相当する。
【００２８】
＜変更例＞
ここで、本発明は上記実施形態１，２に限定されるものではなく、本発明の要旨を逸脱しない範囲における変更が可能である。
例えば、実施形態１において電源用雌端子６２のベース部６２ｂに下側弾性板部６７（別の弾性板部）を設け、実施形態２において電源用雌端子７２の右側支持板部７４に半円壁部７４ｃ（別の弾性板部）を設ける例を示した。しかし、一つの電源用雌端子に下側弾性板部６７と半円壁部７４ｃとを共に設ける構成でも可能である。
また、実施形態２では、本発明を電源用雄端子５５と電源用雌端子７２からなる端子機構７０に適用する例を示したが、本発明を信号用雄端子５７と信号用雌端子６８からなる端子機構に適用することも可能である。
さらに、上記実施形態１，２では、電動工具側に電源用雄端子５５を設け、バッテリパック１０側に電源用雌端子６２，７２を設ける例を示したが、電動工具側に電源用雌端子６２，７２を設け、バッテリパック１０側に電源用雄端子５５を設けることも可能である。
また、上記実施形態１，２では、電動工具とバッテリパック１０間の端子機構５０等を例示したが、バッテリパック１０と充電器間の端子機構に本発明を適用することも可能である。
即ち、前記充電器側に電源用雄端子５５を設け、バッテリパック１０側に電源用雌端子６２，７２を設けても良いし、前記充電器側に電源用雌端子６２，７２を設け、バッテリパック１０側に電源用雄端子５５を設けることも可能である。
【符号の説明】
【００２９】
１０・・・・バッテリパック
５０・・・・端子機構
５５・・・・電源用雄端子（雄端子）
６２・・・・電源用雌端子（雌端子）
６５・・・・弾性板部
６５ｅ・・・接触部
６７・・・・下側弾性板部（別の弾性板部）
６７ｅ・・・接触部
７０・・・・端子機構
７２・・・・電源用雌端子（雌端子）
７４ｃ・・・半円壁部（別の弾性板部）
７４ｅ・・・接触部
７５・・・・弾性板部
７５ｅ・・・円弧凸面
【図１】
0005875910.tif 000002
【図２】
0005875910.tif 000003
【図３】
0005875910.tif 000004
【図４】
0005875910.tif 000005
【図５】
0005875910.tif 000006
【図６】
0005875910.tif 000007
【図７】
0005875910.tif 000008
【図８】
0005875910.tif 000009
【図９】
0005875910.tif 000010
【図１０】
0005875910.tif 000011
【図１１】
0005875910.tif 000012
【図１２】
0005875910.tif 000013
【図１３】
0005875910.tif 000014
【図１４】
0005875910.tif 000015
【図１５】
0005875910.tif 000016
【図１６】
0005875910.tif 000017
【図１７】
0005875910.tif 000018